(57)【要約】【課題】  工期の短縮を図ってコストを抑えることができる、既設タンクのドーム屋根改修方法を提供する。【解決手段】  ドーム屋根改修方法は、既設タンク１内に水４が貯留された状態で、そのタンク１のコンクリート製ドーム屋根２１の上方に、そのコンクリート製ドーム屋根２１を残したまま、アルミ製ドーム屋根２２を設置する。そして、コンクリート製ドーム屋根２１とタンク１内の水面４ａとの間を遮断すべく、タンク１内に遮断膜５を搬入し、かつ、その遮断膜５を、伸展してコンクリート製ドーム屋根２１の下面に沿うよう配設する。【選択図】  図８
2011020710.tif 000002
【特許請求の範囲】
【請求項１】
コンクリート製ドーム屋根を備える既設タンク内に水が貯留された状態で、そのタンクの既設の前記コンクリート製ドーム屋根の上方に、そのコンクリート製ドーム屋根を残したまま、アルミ製ドーム屋根を設置し、
前記コンクリート製ドーム屋根と前記タンク内の水面との間を遮断すべく、前記タンク内に遮断膜を搬入し、かつ、その遮断膜を、伸展して前記コンクリート製ドーム屋根の下方に配設する、既設タンクのドーム屋根改修方法。
【請求項２】
前記遮断膜を配設するにあたって、前記コンクリート製ドーム屋根に設けた通孔を通じて、支持材を前記アルミ製ドーム屋根と前記遮断膜との間に渡すことで、その支持材で前記遮断膜を吊り下げる、請求項１に記載の既設タンクのドーム屋根改修方法。
【請求項３】
前記遮断膜を配設するにあたって、前記コンクリート製ドーム屋根の中央に設けた開口部を通じて、前記遮断膜の中央部分を、前記アルミ製ドーム屋根に取り付ける、請求項１または２に記載の既設タンクのドーム屋根改修方法。
【請求項４】
前記遮断膜を配設するにあたって、前記遮断膜の周端部分を、前記タンクの側壁に固定する、請求項１ないし３のいずれか１項に記載の既設タンクのドーム屋根改修方法。
【請求項５】
複数のロープを、それぞれ、前記遮断膜の周端部分に間隔をあけて全周に渡って設けた各取付部に取り付けるとともに、前記タンクの側壁に前記取付部に対応して設けた各通孔を通じて前記タンクの外に導いた状態で、それら複数のロープを、前記タンクの外から引っ張ることで、前記遮断膜を伸展する、請求項４に記載の既設タンクのドーム屋根改修方法。
【請求項６】
前記アルミ製ドーム屋根の中央に設けた開口部および前記コンクリート製ドーム屋根の中央に設けた前記開口部から、前記遮断膜を前記タンク内に搬入する、請求項３に記載の既設タンクのドーム屋根改修方法。
【請求項７】
前記アルミ製ドーム屋根と前記コンクリート製ドーム屋根との間に、そのコンクリート製ドーム屋根を点検するための空間部をあけるようにして、前記アルミ製ドーム屋根を設置する、請求項１ないし６のいずれか１項に記載の既設タンクのドーム屋根改修方法。
【請求項８】
コンクリート製ドーム屋根を備える既設タンクにおいて、そのタンクの既設の前記コンクリート製ドーム屋根の上方に、そのコンクリート製ドーム屋根を残したまま、アルミ製ドーム屋根が設置され、
前記コンクリート製ドーム屋根と前記タンク内の水面との間を遮断すべく、遮断膜が伸展されて前記コンクリート製ドーム屋根の下方に配設されてなる、既設タンクのドーム屋根改修構造。
【請求項９】
前記コンクリート製ドーム屋根に設けた通孔を通じて、支持材が前記アルミ製ドーム屋根と前記遮断膜との間に渡されて、その支持材で前記遮断膜が吊り下げられる、請求項８に記載の既設タンクのドーム屋根改修構造。
【発明の詳細な説明】
【技術分野】
【０００１】
この発明は、タンク内に水が貯留されたままの状態で、そのタンクのドーム屋根を改修する、既設タンクのドーム屋根改修方法、および、そのドーム屋根が改修された、既設タンクのドーム屋根改修構造に関するものである。
【背景技術】
【０００２】
従来、水が貯留されるタンクでは、空気中の炭酸ガス（上水用のタンクでは、加えて上水に含まれる塩素イオン）等によって、タンクのコンクリート製ドーム屋根の劣化が進んだ際に、周辺に代替施設がある場合には、タンク内の水を空にした上で、既設のドーム屋根を解体し、新たにドーム屋根を再構築するのが一般的であった。
【０００３】
また、代替施設がない場合には、タンクを利用しながら既設のドーム屋根を修理するか、または、既設のドーム屋根を解体して新設のドーム屋根に取り替える、ウォーターラッピング工法と呼ばれる不断水ドーム屋根改修工法があった（例えば、特許文献１参照）。この工法は、タンク内において、貯留された水の上方に、密閉シートを架設し、さらにその密閉シートの上方に、ドーム屋根からの落下物を受け止める仮設張力構造体を架設し、その後に、既設のドーム屋根を修理したり、また、既設のドーム屋根を解体して新設のドーム屋根に取り替えたりして、ドーム屋根を改修するものであった。
【先行技術文献】
【特許文献】
【０００４】
【特許文献１】特開２００１−１７１７８８号公報
【発明の概要】
【発明が解決しようとする課題】
【０００５】
ところで、前記従来の不断水ドーム屋根改修工法にあっては、ドーム屋根を新設する場合には、既設のドーム屋根を解体する必要があった。このため、解体に伴うコンクリート片の落下防止のための仮設張力構造体の設置が必要であって、その設置、および既設ドーム屋根の解体のために、長期の日数を必要とし、この工期増しに伴ってコスト増しが発生し好ましくなかった。
【０００６】
この発明は、上記した従来の欠点を解決するためになされたものであり、その目的とするところは、工期の短縮を図ってコストを抑えることができる、既設タンクのドーム屋根改修方法、および既設タンクのドーム屋根改修構造を提供することにある。
【課題を解決するための手段】
【０００７】
この発明に係る既設タンクのドーム屋根改修方法、および既設タンクのドーム屋根改修構造は、前記目的を達成するために、次の構成からなる。すなわち、
請求項１に記載の発明に係る既設タンクのドーム屋根改修方法は、コンクリート製ドーム屋根を備える既設タンク内に水が貯留された状態で、そのタンクの既設の前記コンクリート製ドーム屋根の上方に、そのコンクリート製ドーム屋根を残したまま、アルミ製ドーム屋根を設置する。そして、前記コンクリート製ドーム屋根と前記タンク内の水面との間を遮断すべく、前記タンク内に遮断膜を搬入し、かつ、その遮断膜を、伸展して前記コンクリート製ドーム屋根の下方に配設する。
【０００８】
この改修方法は、既設のコンクリート製ドーム屋根を残したまま、その上方にアルミ製ドーム屋根を設置するものであり、これにより、既設のコンクリート製ドーム屋根を解体する手間が省け、改修のための工期が短縮される。また、ここで、コンクリート製ドーム屋根の下方には、遮断膜が配設され、この遮断膜により、コンクリート製ドーム屋とタンク内の水面との間が遮断される。このため、コンクリート製ドーム屋根が、例えば空気中の炭酸ガスにより劣化して、そのコンクリート製ドーム屋根を形成するコンクリートの一部が剥落したとしても、その剥落片を遮断膜で受け止めることができる。また、タンク内の水が、塩素イオン等のコンクリートを劣化させる物質を含む場合には、遮断膜により、コンクリート製ドーム屋根の下面への、水からの前記劣化させる物質の供給が断たれる。したがって、既設のコンクリート製ドーム屋根の下面の劣化の進行を抑えたり遅らせたりすることができる。
【０００９】
また、請求項２に記載の発明に係る既設タンクのドーム屋根改修方法は、請求項１に記載の改修方法において、前記遮断膜を配設するにあたって、前記コンクリート製ドーム屋根に設けた通孔を通じて、支持材を前記アルミ製ドーム屋根と前記遮断膜との間に渡すことで、その支持材で前記遮断膜を吊り下げる。こうして、遮断膜の自重を、支持材を介して新設するアルミ製ドーム屋根で負担させることで、既設のコンクリート製ドーム屋根への負荷を排除あるいは低減することができる。
【００１０】
また、請求項３に記載の発明に係る既設タンクのドーム屋根改修方法は、請求項１または２に記載の改修方法において、前記遮断膜を配設するにあたって、前記コンクリート製ドーム屋根の中央に設けた開口部を通じて、前記遮断膜の中央部分を、前記アルミ製ドーム屋根に取り付ける。こうして、遮断膜の中央側の自重を、新設するアルミ製ドーム屋根で負担させることで、既設のコンクリート製ドーム屋根への負荷を排除あるいは低減することができる。
【００１１】
また、請求項４に記載の発明に係る既設タンクのドーム屋根改修方法は、請求項１ないし３のいずれか１項に記載の改修方法において、前記遮断膜を配設するにあたって、前記遮断膜の周端部分を、前記タンクの側壁に固定する。こうして、遮断膜の周端側の自重を、タンクの側壁で負担させることで、既設のコンクリート製ドーム屋根への負荷を排除あるいは低減することができる。
【００１２】
また、請求項５に記載の発明に係る既設タンクのドーム屋根改修方法は、請求項４に記載の改修方法において、複数のロープを、それぞれ、前記遮断膜の周端部分に間隔をあけて全周に渡って設けた各取付部に取り付けるとともに、前記タンクの側壁に前記取付部に対応して設けた各通孔を通じて前記タンクの外に導いた状態で、それら複数のロープを、前記タンクの外から引っ張ることで、前記遮断膜を伸展する。
【００１３】
また、請求項６に記載の発明に係る既設タンクのドーム屋根改修方法は、請求項３に記載の改修方法において、前記アルミ製ドーム屋根の中央に設けた開口部および前記コンクリート製ドーム屋根の中央に設けた前記開口部から、前記遮断膜を前記タンク内に搬入する。
【００１４】
また、請求項７に記載の発明に係る既設タンクのドーム屋根改修方法は、請求項１ないし６のいずれか１項に記載の改修方法において、前記アルミ製ドーム屋根と前記コンクリート製ドーム屋根との間に、そのコンクリート製ドーム屋根を点検するための空間部をあけるようにして、前記アルミ製ドーム屋根を設置する。
【００１５】
また、請求項８に記載の発明に係る既設タンクのドーム屋根改修構造は、コンクリート製ドーム屋根を備える既設タンクにおいて、そのタンクの既設の前記コンクリート製ドーム屋根の上方に、そのコンクリート製ドーム屋根を残したまま、アルミ製ドーム屋根が設置される。そして、前記コンクリート製ドーム屋根と前記タンク内の水面との間を遮断すべく、遮断膜が伸展されて前記コンクリート製ドーム屋根の下方に配設される。
【００１６】
この改修構造は、既設のコンクリート製ドーム屋根を残したまま、その上方にアルミ製ドーム屋根を設置するものであり、これにより、既設のコンクリート製ドーム屋根を解体する手間が省け、改修のための工期が短縮される。また、ここで、コンクリート製ドーム屋根の下方には、遮断膜が配設され、この遮断膜により、コンクリート製ドーム屋とタンク内の水面との間が遮断される。このため、コンクリート製ドーム屋根が、例えば空気中の炭酸ガスにより劣化して、そのコンクリート製ドーム屋根を形成するコンクリートの一部が剥落したとしても、その剥落片を遮断膜で受け止めることができる。また、タンク内の水が、塩素イオン等のコンクリートを劣化させる物質を含む場合には、遮断膜により、コンクリート製ドーム屋根の下面への、水からの前記劣化させる物質の供給が断たれる。したがって、既設のコンクリート製ドーム屋根の下面の劣化の進行を抑えたり遅らせたりすることができる。
【００１７】
また、請求項９に記載の発明に係る既設タンクのドーム屋根改修構造は、請求項８に記載の改修構造において、前記コンクリート製ドーム屋根に設けた通孔を通じて、支持材が前記アルミ製ドーム屋根と前記遮断膜との間に渡されて、その支持材で前記遮断膜が吊り下げられる。こうして、遮断膜の自重を、支持材を介してアルミ製ドーム屋根で負担させることで、既設のコンクリート製ドーム屋根への負荷を排除あるいは低減することができる。
【発明の効果】
【００１８】
この発明に係る既設タンクのドーム屋根改修方法、および既設タンクのドーム屋根改修構造によれば、既設のコンクリート製ドーム屋根を残したまま、その上方にアルミ製ドーム屋根を設置するとともに、遮断膜によって、既設のコンクリート製ドーム屋根の剥落片を受け止めることで、そのコンクリート製ドーム屋根を解体する必要がなく、その解体の手間を省くことができる。これによって、改修のための工期が短縮されてコストを抑えることができる。
【図面の簡単な説明】
【００１９】
【図１】この発明の一実施の形態の、工事着手前の既設タンクを示す模式図である。
【図２】同じく、第１工程後を示す模式図である。
【図３】同じく、第２工程後を示す模式図である。
【図４】同じく、第３工程後を示す模式図である。
【図５】同じく、第４工程後を示す模式図である。
【図６】同じく、第５工程後を示す模式図である。
【図７】同じく、第６工程途中を示す模式図である。
【図８】同じく、第７工程後であって、改修されたタンクを示す模式図である。
【図９】同じく、人孔部分の要部拡大図である。
【図１０】同じく、人孔部分の遮断膜を示す模式図である。
【発明を実施するための形態】
【００２０】
以下、この発明に係る既設タンクのドーム屋根改修方法、および既設タンクのドーム屋根改修構造を実施するための形態を図面に基づいて説明する。
【００２１】
図１〜図１０は、本発明の一実施の形態を示す。図中符号１は、既設タンク（特に、上水用のタンク）であって、ドーム屋根２としてのコンクリート製ドーム屋根２１を備える。３は、既設タンク１のドーム屋根改修構造である。
【００２２】
既設タンク１のドーム屋根改修方法は、始めに、コンクリート製ドーム屋根２１を備える既設タンク１内に、例えば上水などの水４が貯留された状態で、そのタンク１の既設のコンクリート製ドーム屋根２１の上方に、そのコンクリート製ドーム屋根２１を残したまま、アルミニウム合金製の部材などを用いたアルミ製ドーム屋根２２を設置する。その後、コンクリート製ドーム屋根２１とタンク１内の水面４ａとの間を遮断すべく、タンク１内に遮断膜５を搬入し、かつ、その遮断膜５を、伸展してコンクリート製ドーム屋根２１の下方に（詳しくは、コンクリート製ドーム屋根２１の下面に沿うよう）配設する。この際、遮断膜５は、後ほど詳述するように、アルミ製ドーム屋根２２に吊り下げ支持される。
【００２３】
ここで、遮断膜５をタンク１内に搬入するには、アルミ製ドーム屋根２２の中央（天頂部）に設けた開口部２２ａおよびコンクリート製ドーム屋根２１の中央（天頂部）に設けた開口部２１ａから搬入する。そして、遮断膜５の伸展は、複数のロープ６、６を、それぞれ、遮断膜５の周端部分５ａに間隔をあけて全周に渡って設けた各取付部５ｂに取り付けるとともに、タンク１の側壁１ａに前記取付部５ｂ、５ｂに対応して設けた各通孔１ｂ、１ｂを通じてタンク１の外に導いた状態で、それら複数のロープ６、６を、タンク１の外側から引っ張ることで行う。
【００２４】
また、遮断膜５を配設するにあたって、コンクリート製ドーム屋根２１に設けた通孔２１ｂ、２１ｂを通じて、支持材７、７をアルミ製ドーム屋根２２と遮断膜５との間に渡すことで、その支持材７、７で遮断膜５を吊り下げたり、コンクリート製ドーム屋根２１の中央に設けた開口部２１ａを通じて、遮断膜５の中央部分５ｃを、アルミ製ドーム屋根２２に取り付けたり、遮断膜５の周端部分５ａを、タンク１の側壁１ａに固定したりする。
【００２５】
そこで、ドーム屋根改修構造３は、前記既設タンク１において、そのタンク１の既設のコンクリート製ドーム屋根２１の上方に、そのコンクリート製ドーム屋根２１を残したまま、アルミ製ドーム屋根２２が設置される。そして、コンクリート製ドーム屋根２１とタンク１内の水面４ａとの間を遮断すべく、遮断膜５が伸展されてコンクリート製ドーム屋根２１の下方に（詳しくは、コンクリート製ドーム屋根２１の下面に沿うよう）配設される。
【００２６】
なお、新設されるアルミ製ドーム屋根２２は、例えば、アルミからなる型材がドームの面に沿う多数の三角形を形成するように組まれた、骨組み構造を有し、その骨組み構造に対し、アルミの板材が張り付けられて形成される。そして、遮断膜５となる膜材は、例えば、ポリエステル繊維等の繊維材に、塩化ビニル樹脂等の合成樹脂材をコーティングして得られるが、膜材の素材は、これに限定されるわけではない。
【００２７】
次に、既設タンク１のドーム屋根改修方法を、具体的に工程を追って順に説明する。図１は、改修前の既設タンク１を示す。この既設タンク１は、円筒形状をしており、その底版１ｃ、側壁１ａおよびドーム屋根２１は、コンクリート製であり、特に側壁１ａは、プレストレストコンクリートからなる。そして、コンクリート製ドーム屋根２１の中央には、通気孔２１ｃが設けられている。
【００２８】
第１工程は、図２に示すように、既設タンク１内に水４が貯留された状態で、そのタンク１の既設のコンクリート製ドーム屋根２１の上方に、そのコンクリート製ドーム屋根２１を残したまま、アルミ製ドーム屋根２２を設置する。詳細には、アルミ製ドーム屋根２２とコンクリート製ドーム屋根２１との間に、そのコンクリート製ドーム屋根２１を点検するための空間部２ａ（つまり、点検するために作業者が入り込める空間部）をあけるようにして、アルミ製ドーム屋根２２を設置する。
【００２９】
第２工程は、図３に示すように、既設のコンクリート製ドーム屋根２１の通気孔２１ｃから、傘状の防護設備８を閉じた状態で下し、タンク１内で、その傘状の防護設備８を開く。
【００３０】
第３工程は、図４に示すように、既設のコンクリート製ドーム屋根２１の通気孔２１ｃ部分を拡開して、開口部２１ａを形成する。このとき、切り取ったコンクリート片を、防護設備８で受け止め、外部に搬出する。そして、タンク１の側壁１ａに通孔１ｂ、１ｂをあける。この通孔１ｂは、側壁１ａにおける、コンクリート製ドーム屋根２１の基端部の下方であってその基端部に近接した位置にあけられる。同図に示されるように、作業の都合に合わせて、水面４ａの高さ位置を調節する。
【００３１】
第４工程は、図５に示すように、新設されたアルミ製ドーム屋根２２の中央部材（天頂部材）を撤去して開口部２２ａを形成する。そして、遮断膜５を伸展するための複数のロープ６、６を配置する。すなわち、複数のロープ６、６を、コンクリート製ドーム屋根２１の開口部２１ａから、タンク１の側壁１ａに設けた各通孔１ｂ、１ｂを通じて、タンク１の外まで配置する。ここで、アルミ製ドーム屋根２２の中央部材（天頂部材）の撤去と、ロープ６、６の配置との順序は特に問わない。
【００３２】
第５工程は、図６に示すように、クレーン９で遮断膜５の中央を吊るようにして、遮断膜５の周端側を、アルミ製ドーム屋根２２の中央の開口部２２ａから内部に進入させ、コンクリート製ドーム屋根２１の中央の開口部２１ａを通じて、遮断膜５の周端部分５ａの各取付部５ｂ、５ｂに、ロープ６、６を、それぞれ取り付ける。
【００３３】
第６工程は、図６および図７に示すように、前記複数のロープ６、６を、側壁１ａの各通孔１ｂ、１ｂを通じてタンク１外に導いた状態で、それら複数のロープ６、６を、タンク１の外から例えばウインチ１０により引っ張る。これにより、遮断膜５は、アルミ製ドーム屋根２２の中央の開口部２２ａおよびコンクリート製ドーム２１の中央の開口部２１ａから、タンク１内に搬入され、また、これと同時に、遮断膜５が伸展される。そして、遮断膜５の周端部分５ａを、側壁１ａに固定するとともに、アルミ製ドーム屋根２２の中央部材（天頂部材）を戻して開口部２２ａを塞ぎ、コンクリート製ドーム屋根２１の中央に設けた開口部２１ａを通じて、遮断膜５の中央部分５ｃを、アルミ製ドーム屋根２２（詳しくは、アルミ製ドーム屋根２２の骨組みの接合部）に取り付ける。さらに、コンクリート製ドーム屋根２１に設けた複数の通孔２１ｂ、２１ｂを通じて、複数の例えばワイヤーからなる支持材７、７をアルミ製ドーム屋根２２と遮断膜５との間に渡す。なお、図中符号２２ｂは、アルミ製ドーム屋根２２の中央部材（天頂部材）に設けた通気孔であって、この通気孔２２ｂを介して、タンク１内は、外部に通ずることとなる。
【００３４】
第７工程は、図８に示すように、支持材７、７の長さを調節することで、遮断膜５をコンクリート製ドーム屋根２１の下面に沿うよう、詳しくは、垂れて遊びを有しつつ前記下面に沿うよう配設する。
【００３５】
このようにして、既設タンク１のドーム屋根２が改修されて、ドーム屋根改修構造３が形成される。ここで、タンク１内での作業は、滅菌処理したゴムボートに、滅菌処理したダイバースーツを着用した作業者を配置して行うのが好ましい。
【００３６】
ところで、図１〜図８においては、細部は、省略されているが、実際には、図９に示すように、既設のコンクリート製ドーム屋根２１には、タンク１内を点検するための人孔２１ｄが設けられている。この人孔２１ｄ部分では、図９および図１０に示すように、遮断膜５に、膜材（例えば、遮断膜５と同じ材料の膜材）を筒状に加工した人孔用シャフト５ｄが、上下に開口するようにして接着等により取り付けられる。なお、図中符号２１ｅは、人孔２１ｄを開閉する蓋である。１１は、遮断膜５の周端部分５ａを側壁１ａに固定するアンカーであり、１２は、人孔用シャフト５ｄの上端部分を人孔２１ｄに固定するアンカーである。また、図示を省略するが、新設するアルミ製ドーム屋根２２においても、適宜位置に点検のための人孔が設けられる。
【００３７】
次に、以上の構成からなるドーム屋根改修方法、およびドーム屋根改修構造３の作用効果について説明する。この改修方法および改修構造３は、既設のコンクリート製ドーム屋根２１を残したまま、その上方にアルミ製ドーム屋根２２を設置するものであり、これにより、既設のコンクリート製ドーム屋根２１を解体する手間が省け、改修のための工期が短縮される。また、ここで、コンクリート製ドーム屋根２１の下方には、遮断膜５が配設され、この遮断膜５により、コンクリート製ドーム屋２１とタンク１内の水面４ａとの間が遮断される。このため、コンクリート製ドーム屋根２１が、例えば空気中の炭酸ガスにより劣化して、そのコンクリート製ドーム屋根２１を形成するコンクリートの一部が剥落したとしても、その剥落片を遮断膜５で受け止めることができる。すなわち、アルミ製ドーム屋根２２を設置するとともに、遮断膜５によって、既設のコンクリート製ドーム屋根２１の剥落片を受け止めることで、そのコンクリート製ドーム屋根２１を解体する必要がなく、その解体の手間を省くことができる。これによって、改修のための工期が短縮されてコストを抑えることができる。
【００３８】
また、タンク１内の水４が、例えばその水４が上水である場合のような、塩素イオン等のコンクリートを劣化させる物質を含む場合には、遮断膜５により、コンクリート製ドーム屋根２１の下面への、水４からの前記劣化させる物質の供給が断たれる。したがって、既設のコンクリート製ドーム屋根２１の下面の劣化の進行を抑えたり遅らせたりすることができる。
【００３９】
また、遮断膜５の自重を、支持材７、７を介して新設するアルミ製ドーム屋根２２で負担させたり、コンクリート製ドーム屋根２１の中央の開口部２１ａを通じて、遮断膜５の中央部分５ｃを、アルミ製ドーム屋根２２に取り付けて、遮断膜５の中央側の自重を、新設するアルミ製ドーム屋根２２で負担させたり、遮断膜５の周端部分５ａを、タンク１の側壁１ａに固定して、遮断膜５の周端側の自重を、側壁１ａで負担させたりすることで、既設のコンクリート製ドーム屋根２１への負荷を排除あるいは低減することができる。
【００４０】
また、遮断膜５は、コンクリート製ドーム屋根２１の下面に沿うよう配置されている。このため、剥落片の落下による衝撃がそれほど高くなく、この遮断膜５で剥落片を容易に受け止めることができる。
【００４１】
また、アルミ製ドーム屋根２２とコンクリート製ドーム屋根２１との間に、そのコンクリート製ドーム屋根２１を点検するための空間部２ａがあけられ、これにより、この空間部２ａに作業者が入ることで、コンクリート製ドーム屋根２１を容易に点検することができる。
【００４２】
なお、本発明は、上述した実施の形態に限定されるわけではなく、その他種々の変更が可能である。例えば、タンク１は、上水を貯留するタンクでなくとも、灌漑用水を貯留するタンク、すなわちファームポンドとか、工業用水を貯留するタンクとか、その他のタンクであってもよい。
【００４３】
また、支持材７は、ワイヤーでなくとも、線材、棒材、ロープ等、その他の部材からなっていてもよく、また、複数の部材が組み合わされて形成されてもよい。そして、この支持材７をアルミ製ドーム屋根２２や遮断膜５に取り付けるにあたっては、支持材７が取り付けられる取付具を、予めアルミ製ドーム屋根２２や遮断膜５に取り付けておくのが好ましい。また、支持材７の各端部にフックを設けて、そのフックを前記取付具に掛けるようにしてもよい。また、この支持材７は、長さ調節機能を備えていてもよく、例えば、ターンバックル等の長さ調節装置を備えるものであってもよい。
【００４４】
また、遮断膜５は、コンクリート製ドーム屋根２１の下面に沿うよう配設されなくとも、コンクリート製ドーム屋根２１とタンク１内の水面４ａとの間を遮断できれば、コンクリート製ドーム屋根２１の下方のどの位置に配設されても構わない。
【００４５】
また、遮断膜５は、アルミ製ドーム屋根２２に吊り下げ支持されなくとも、タンク１の他の部位に支持されてもよい。
【符号の説明】
【００４６】
１  既設タンク（タンク）
１ａ  側壁
１ｂ  通孔
２ａ  空間部
２１  コンクリート製ドーム屋根
２１ａ  開口部
２１ｂ  通孔
２２  アルミ製ドーム屋根
２２ａ  開口部
３  ドーム屋根改修構造
４  水
４ａ  水面
５  遮断膜
５ａ  周端部分
５ｂ  取付部
５ｃ  中央部分
６  ロープ
７  支持材
【図１】
2011020710.tif 000003
【図２】
2011020710.tif 000004
【図３】
2011020710.tif 000005
【図４】
2011020710.tif 000006
【図５】
2011020710.tif 000007
【図６】
2011020710.tif 000008
【図７】
2011020710.tif 000009
【図８】
2011020710.tif 000010
【図９】
2011020710.tif 000011
【図１０】
2011020710.tif 000012